(57)【要約】  （近距離通信（ＮＦＣ）デバイスのような）双方向無線通信コンポーネントがカートンに取り付けられる。双方向無線通信コンポーネントは、少なくとも、倉庫を通じる計画された自動化ルートに関する、双方向無線通信コンポーネント内に格納される情報を有する。１つのアプローチによって、自動化ルート情報は、倉庫内の少なくとも１つのコンベヤベルトゲートに関する情報を含む。加えて、双方向無線通信コンポーネントは、倉庫内のパッケージの現在場所、カートン内に配置されるよう計画されたコンテンツ、カートン内に実際に配置されたコンテンツ、カートンについての最終配送仕向先等のような、他の情報を含み得る。
2018531195.tif 000002
【特許請求の範囲】
【請求項１】
カートンを提供するステップであって、前記カートンは前記カートンに取り付けられる双方向無線通信コンポーネントを有するステップと、
少なくとも倉庫を通じる計画された自動化ルートに関する情報を双方向無線通信コンポーネントに書き込むステップと、
前記カートンが前記計画された自動化ルートを介して前記倉庫を通じて進むときに、
−  前記カートン内に実際に配置されるコンテンツ、及び
−  前記倉庫内の前記カートンの現在場所
に関する情報を含むよう前記双方向無線通信コンポーネント情報を更新するステップとを含み、
前記倉庫内の前記カートンの前記現在場所に関する情報を含むよう前記双方向無線通信コンポーネント情報を更新するステップは、前記カートンが前記倉庫を通じて進むときに複数回起こる、
方法。
【請求項２】
前記カートンに取り付けられる前記双方向無線通信コンポーネントを有する前記カートンを提供するステップは、ブランクから前記カートンを形成することに引き続き、前記双方向無線通信コンポーネントを前記カートンに取り付けるステップを含む、請求項１に記載の方法。
【請求項３】
前記双方向無線通信コンポーネントは、近距離通信（ＮＦＣ）デバイスを含む、請求項１に記載の方法。
【請求項４】
前記双方向無線通信コンポーネントは、ラベルの部分を含み、前記カートンに取り付けられる前記双方向無線通信コンポーネントを有する前記カートンを提供するステップは、前記ラベルを前記カートンに取り付けるステップを含む、請求項１に記載の方法。
【請求項５】
前記ラベルを前記カートンに取り付けるステップは、前記倉庫で前記ラベルを前記カートンに取り付けるステップを含む、請求項４に記載の方法。
【請求項６】
少なくとも前記倉庫を通じる計画された自動化ルートに関する前記情報は、少なくとも部分的に、作動させることにより前記倉庫内のコンベヤベルトを介した前記カートンの動きを制御する、前記倉庫内の少なくとも１つのコンベヤベルトゲートに関する情報を含む、請求項１に記載の方法。
【請求項７】
前記情報は、
−  前記カートン内に配置されるよう計画されたコンテンツ、
−  前記カートンについての最終配送仕向先
のうちの少なくとも１つを更に含む、
請求項１に記載の方法。
【請求項８】
前記情報は、
−  前記カートン内に配置されるよう計画されたコンテンツ、
−  前記カートンについての最終配送仕向先
のうちの少なくとも１つを更に含む、
請求項７に記載の方法。
【請求項９】
前記カートン内の実際に配置される選出品目と共に、前記カートン内に実際に配置されるコンテンツに関する前記情報を、前記双方向無線通信コンポーネントに書き込むステップを更に含む、請求項７に記載の方法。
【請求項１０】
前記倉庫内の前記カートンの前記現在場所に関する情報を含むよう前記双方向無線通信コンポーネント情報を更新するステップは、前記カートンについて以前に書き込まれた場所情報を上書きするステップを含む、請求項１に記載の方法。
【請求項１１】
前記倉庫内の前記カートンの前記現在場所に関する情報を含むよう前記双方向無線通信コンポーネント情報を更新するステップは、前記カートンの前記現在場所に関する前記情報を前記倉庫内の前記カートンの以前に到達した場所のログに追加するステップを含む、請求項１に記載の方法。
【請求項１２】
倉庫と、
前記倉庫内に配置され、双方向無線通信コンポーネントに情報を書き込むように構成される、複数のライタと、
前記倉庫内に配置され、異なる仕向先に至る複数のコンベヤベルトを有する、コンベヤベルトシステムと、
カートンと、
該カートンに取り付けられる双方向無線通信コンポーネントとを含み、該双方向無線通信コンポーネントは、少なくとも倉庫を通じる前記カートンについての計画された自動化ルートに関する、前記双方向無線通信コンポーネント内に格納される情報を有し、
前記複数のライタは、前記カートンが前記計画された自動化ルートを介して前記倉庫を通じて進むときに、
−  前記カートン内に実際に配置されるコンテンツ、及び
−  前記倉庫内の前記カートンの実際の場所
に関する情報を含むよう、前記双方向無線通信コンポーネント情報を更新するように構成される、
システム。
【請求項１３】
前記カートンは、板紙からなる、請求項１２に記載のシステム。
【請求項１４】
前記双方向無線通信コンポーネントは、近距離通信（ＮＦＣ）デバイスを含む、請求項１２に記載のシステム。
【請求項１５】
前記双方向無線通信コンポーネントは、前記ＮＦＣデバイスを含むラベルを更に含む、請求項１４に記載のシステム。
【請求項１６】
前記ラベルは、前記ラベルを前記カートンに取り付ける接着剤を含む、請求項１５に記載のシステム。
【請求項１７】
前記ラベルは、その上に形成される光学コードを含む、請求項１５に記載のシステム。
【請求項１８】
前記双方向無線通信コンポーネントは、
−  前記倉庫で前記カートン内に配置されるよう計画されたコンテンツ、及び
−  前記カートンについての最終配送仕向先
のうちの少なくとも１つに関する、前記双方向無線通信コンポーネント内に格納される情報を更に有する、
請求項１２に記載のシステム。
【請求項１９】
前記複数のライタは、前記カートンについて以前に書き込まれた場所情報を上書きすることによって、前記倉庫内の前記カートンの前記現在場所に関する情報を含むよう、前記双方向無線通信コンポーネント情報を更新するように構成される、請求項１２に記載のシステム。
【請求項２０】
前記複数のライタは、前記カートンの前記現在場所に関する前記情報を前記倉庫内の前記カートンの以前に到達した場所のログに追加することによって、前記倉庫内の前記カートンの前記現在場所に関する情報を含むよう、前記双方向無線通信コンポーネント情報を更新するように構成される、請求項１２に記載のシステム。
【発明の詳細な説明】
【技術分野】
【０００１】
（関連出願の参照）
本出願は、２０１５年９月２５日に出願された米国仮出願第６２／２３３，１７４号の利益を主張し、その全体を参照として本明細書に援用する。
【０００２】
これらの教示は、概ね、倉庫ベースのカートン包装(carton  packing)に関する。
【背景技術】
【０００３】
自動化された（或いは部分的に自動化された）倉庫ベースのカートン包装システムが知られている。幾つかの既知のシステムは、個々のカートン上に光学コード（例えば、バーコード）を配置してカートンを識別する。そのようなアプローチは有用であるが、典型的には、１以上（１つ又はそれよりも多く）の有用な情報項目を伝え損なう。光学コードは、カートンが倉庫を通り抜けるときに、更新にも特に寄与しない。
【０００４】
従来技術のアプローチは、カートンに関する多くの情報へのアクセスを得るために外部リソースに相当の信頼を置く傾向がある。多くの場合、例えば、倉庫システムは、光学コードを読み取り、次に、その光学コードを使用して遠隔データ記憶装置にアクセスして所望の情報を取得する。
【発明の概要】
【０００５】
上記必要は、特に図面と共に検討されるときに、以下の詳細な記述に記載する倉庫を通じる計画された自動化ルートを容易にする方法及び装置の提供を通じて少なくとも部分的に満たされる。
【図面の簡単な説明】
【０００６】
【図１】これらの教示の様々な実施形態に従って構成されるフロー図を含む。
【０００７】
【図２】これらの教示の様々な実施形態に従って構成される概略図を含む。
【発明を実施するための形態】
【０００８】
図面中の要素は、簡潔性及び明確性のために例示されており、必ずしも原寸通りに描かれていない。例えば、図面中の要素のうちの幾つかの要素の寸法及び／又は相対的な位置付けは、本教示の様々な実施形態の理解を向上させるのに役立つよう、他の要素に対して誇張されていることがある。また、商業的に実現可能な実施形態において有用又は必要な一般的であるが十分に理解されている要素は、本教示のこれらの様々な実施形態の余り遮られない観察(view)を容易にするために描かれていない。特定の動作(actions)及び／又はステップは、特定の発生順序で記載され或いは描写されることがあるが、当業者は順番に関するそのような特異性が実際には必要とされないことを理解するであろう。本明細書で使用する用語及び表現は、異なる特定の意味が他の方法で本明細書中に示される場合を除いて、上記技術分野の当業者によるそのような用語及び表現に一致するような通常の技術的意味を有する。
【０００９】
一般的に言えば、これらの様々な実施形態に従って、（近距離通信（ＮＦＣ）デバイスのような）双方向無線通信コンポーネントがカートンに取り付けられる。双方向無線通信コンポーネントは、少なくとも倉庫(warehouse)を通じる計画された自動化ルート(planned  automated  route)に関する情報を内部に格納する。
【００１０】
１つのアプローチによって、これらの教示は、ブランク(blank)からカートンを形成することに続いて、双方向無線通信コンポーネントをカートンに取り付けることに順応する。他のアプローチによって、望まれるならば、これらの教示は、カートンが形成されるブランクに、双方向無線通信コンポーネントを取り付けることに順応する。
【００１１】
これらの教示は、様々な計画された自動化ルート情報にも順応する。１つのアプローチによって、例えば、自動化ルート情報は、倉庫内の少なくとも１つのコンベヤベルトゲートに関する情報を含む。望まれるならば、これらの教示は、その情報を活用することにより、例えば、そのようなコンベヤベルト及びそのようなゲートの作動／制御を介して、カートンの動き(movement)を制御することに順応する。
【００１２】
前述の計画された自動化ルート情報に加えて、双方向無線通信コンポーネントは、倉庫内のパッケージの現在の場所、カートン内に配置される予定のコンテンツ（内容物）、カートン内に実際に配置されたコンテンツ、カートンの最終的な配送仕向先(delivery  destination)等のような、他の情報を含むことができる。１つのアプローチによって、カートン内に実際に配置されたコンテンツに関する情報は、選出品目(picked  items)を実際にカートン内に配置することと共に、双方向無線通信コンポーネントに書き込まれることができる。
【００１３】
そのように構成されるとき、カートンは倉庫内を進行する間に情報を運ぶことができ、それは製品の選出及び包装並びに最終的な仕向先運送計画(destination  routing)のような対応する作業（タスク）の適切且つ効率的な実行を保証することができる。これらの教示は既存のアプローチと上手く統合され、自動化行為及び人間の活動両方をサポートする。
【００１４】
これらの及び他の利益は、以下の詳細な記述の徹底的な検討及び研究を行った後に明らかになるであろう。ここで、図面、特に図１を参照して、これらの教示の多くと合致する例示的なプロセス１００を提示する。
【００１５】
ブロック１０１で、このプロセス１００は、カートンを提供し、カートンは、カートンに取り付けられた双方向無線通信コンポーネントを有する。１つのアプローチによって、これは、ブランクからカートンを形成することに続いて、カートンに双方向無線通信コンポーネントを取り付けることを含み得る。他のアプローチによって、これは、カートンが形成されるブランクに双方向無線通信コンポーネントを取り付けることを含み得る。いずれの場合にも、対応する倉庫に到着するに先立ち或いは倉庫にある間に、カートンに双方向無線通信コンポーネントを取り付け得る。
【００１６】
本明細書において使用するとき、「カートン」(“carton”)という用語は、（それら自体がそれらの独自の対応する特定の専用ボックス又はコンテナを有することがある）１以上の他の品目を収容することにおける使用のために構成され且つ意図される容器を指すと理解されるであろう。従って、カートンは、如何なる特定の特別な品目のためにも設計されたり意図されたりしない一般的な容器である。
【００１７】
１つのアプローチによって、カートンは、段ボール紙(corrugated  cardboard)のような板紙材料(paperboard  material)で形成される。プラスチックのような他の材料も、又は木材のような他の材料さえも、時々使用される。これらの教示の脈絡において、カートンは、倉庫内の在庫から取り除かれ、そのようなカートン内に収容される間に受取り住所に発送される、１以上の品目を保持する働きをする。
【００１８】
双方向無線通信コンポーネントは、様々な技術プラットフォームのうちのいずれかを含み得る。例示的な例のために、以下の記述は、双方向無線通信コンポーネントが近距離通信（ＮＦＣ）デバイスを含むと想定する。ＮＦＣデバイスは、当該技術分野において非常に良く知られており、そのようなデバイスが比較的短い距離に亘ってのみ対応するリーダ(reader)又はライタ(writer)と無線通信する傾向があること並びにそのようなデバイスがそのようなリーダによって読み取られることができる且つ／或いはそのようなライタによって書き込まれることができるメモリを含むことに言及することを除いて、ここでは更なる詳細を必要としない。
【００１９】
これらの例示的な例では、双方向無線通信コンポーネントが、前述のカートンに接着させられることができる或いは他の方法で付着させられることができる、紙、板紙、又はプラスチックラベルのような、ラベルの部分を含むと更に想定される。これらの教示は、そのようなラベル上に印刷物を含むことに順応する。その印刷物は、必要であるならば、イラスト(illustrations)、文(text)、又は１以上の（バーコードのような）光学コードを含み得る。文及び／又は光学コードは、例えば、カートンに対応するような目標受取人及び／又は受取人住所を表すことがある。
【００２０】
ブロック１０２で、このプロセス１００は、少なくとも倉庫を通じる計画された自動化ルートに関する情報を双方向無線通信コンポーネントに書き込むことを提供する。具体的には、この活動（アクティビティ）は、そのような情報をＮＦＣデバイスのメモリに書き込むことを含み得る。（当業者は、双方向無線通信コンポーネントをカートンに取り付ける前に或いは又取り付けた後に、そのような情報を双方向無線通信コンポーネントに書き込み得ることを理解するであろう）。この情報は、様々な計画、状態、及び状況のうちのいずれかを表し得る。
【００２１】
１つのアプローチによって、双方向無線通信コンポーネントに書き込まれる情報は、倉庫を通じる計画された自動化ルートを構成し、さもなければ、他の方法で提示する。そのようなルートは、倉庫を通じる完全なルート又はそのルートの一部のみを表すことができる。そのような情報は、例えば、カートンを倉庫内の１つの場所から他の場所に移動させることができる１以上のコンベヤラインを識別することができる。関連する例として、そのような情報は、自動化されたコンベヤゲートによって選択されるべき特定のコンベヤ経路を識別することができる（自動化されたコンベヤゲートは、先行技術における周知のコンベヤシステムコンポーネントである）。一層更なる例として、任意的なブロック１０４に例示するように、前述の情報は、自動化コンベヤゲートが倉庫内のコンベヤベルト又は複数のコンベヤベルトを介してカートンにゲートを通過させるか或いはカートンの移動を他の方法で制御させるよう、（例えば、双方向無線通信コンポーネントへのクエリに応答して）自動化コンベヤゲートのようなシステム要素に提供されることができる、１以上のコード又は他の認証器具又は情報を含むことができる。
【００２２】
これらに関して他の可能性がもちろん存在する。例えば、前述のルート情報は、所望に、倉庫フロア(warehouse  floors)及び／又は仕切り領域(partitioned  areas)、通路(aisles)、柱(columns)、棚(shelves)、格子座標(grid  coordinates)又は他の場所の印(indicia  of  location)、エレベータ(elevators)、積込みドック(loading  docks)、出入口(doorways)等を直接的又は間接的に表すことができる。
【００２３】
倉庫を通じるロートに関する情報に加えて、（ルート情報と同時にこのコンポーネントに書き込まれる情報及び従前の事象又は後続の事象に書き込まれる情報を含む）他の情報も双方向無線通信コンポーネントに書き込むことができる。これらに関する例は、カートン内に配置される予定のコンテンツ、実際にカートン内に配置されたコンテンツ、及び／又はカートンの最終的な配送仕向先に関する情報の１つ、一部、又は全部を含む。１つのアプローチによって、任意的ブロック１０６で例示するように、カートン内に実際に配置されるコンテンツに関して（ブロック１０７で）双方向無線通信コンポーネントに情報を書き込みことは、カートン内に選出品目を実際に配置することと併せて試みられる(undertaken)ことができる。
【００２４】
双方向無線通信コンポーネントに書き込むことができる情報の他の例として、任意的ブロック１０３に示すように、これらの教示は、倉庫内のカートンの現在位置に関してこのコンポーネント情報に書き込むことに順応する。１つのアプローチによって、そのような情報を以前に到達した場所のログに追加することができる。他のアプローチによって、そのような場所情報は、倉庫内のカートンの以前の場所に関して以前に書き込まれた情報を、以前の情報を上書きする方法で更新する働きをすることができる。
【００２５】
そのように構成されるならば、カートンによって伝達される情報は、倉庫内の潜在的に複雑なコンベヤシステムを通じたカートンの自動的な移動を容易にすることを含む様々な有用な目的に役立つことができる。当業者は、これらの利益が、システム要素がデータの中央記憶装置を連続的に参照することを必要とせずに達成され、むしろカートンによって伝達される場所に関する情報(local  information)に依存し得ることを理解するであろう。
【００２６】
次に図２を参照して、これらに関するより具体的な例示的な例を提供する。以下の例の詳細はこれらの教示に関する如何なる特定の限定を示唆することをも意図しないことが理解されるべきである。
【００２７】
図２の例は、カートンを１つの場所から他の場所に自動的に移動することができるコンベヤベルトを有する倉庫を想定している。このコンベヤベルトシステムは、カートンが倉庫を通じて更に移動するのを防止する或いは可能にする働きをすることができる、且つ／或いは特定のカートンを複数の利用可能なコンベヤベルトのうちの１つに方向付ける働きをすることができる、自動化ゲート(automated  gates)を含む。この倉庫の目的は、少なくとも部分的には、顧客が注文した品目をカートン内に配置して、対応する注文を行った顧客へのそれらの品目の配送を容易にすることである。従って、所与のカートンは、特定の顧客の注文に依存して、１つ、２つ、又はそれよりも多くの品目を収容する働きをすることがある。
【００２８】
このプロセスの記載は、特定の受取人について特定の注文が作成される参照番号２０１で開始する。この順序の詳細は、プリンタ２０３を利用して対応するラベル２０４に光学コード２０５を印刷するよう、選択される制御回路２０２によって利用される。制御回路２０２は、前述のラベル２０４の一部も含むＮＦＣデバイス２０６も符号化する。
【００２９】
従って、「回路」であることによって、制御回路２０２は、命令された方法で電気を伝える（銅又は銀のような導電性金属からなる経路のような）少なくとも１つの（典型的には多くの）導電性経路を含む構造を含み、（複数の）経路は、典型的には、回路がこれらの教示の制御特徴をもたらすのを可能にするよう、対応する電気コンポーネント（（抵抗器及びコンデンサのような）受動コンポーネント及び（様々な半導体ベースのデバイスのうちのいずれかのような）能動コンポーネントの両方）も含む。
【００３０】
そのような制御回路２０２は、（汎用用途向けよりもむしろ特定用途向け設計によってカスタマイズされた集積回路である特定用途向け集積回路（ＡＳＩＣ）、及びフィールドプログラマブルゲートアレイ（ＦＰＧＡ）等を非限定的に含む）一定目的の配線接続されたウェアプラットフォームを含むことができ、或いは、（マイクロコントローラ、及びマイクロプロセッサ等を非限定的に含む）部分的又は全体的にプログラム可能なハードウェアプラットフォームを含むことができる。そのような構造のためのこれらのアーキテクチャ上の選択肢は、当該技術分野において良く知られており且つ理解されており、ここでは更なる記述を必要としない。この制御回路２０２は、本明細書に記載するステップ、行為、及び／又は機能のうちの１以上を実行するように、（例えば、当業者によって良く理解されるように、対応するプログラミングを使用することによって）構成される。
【００３１】
１つのアプローチによって、制御回路２０２は、制御回路２０２と一体化されたメモリを含む。他のアプローチによって、そのようなメモリは、所望に、制御回路２０２から（全体的に又は部分的に）物理的に離散することができる。このメモリは、制御回路２０２に対してローカルであることもでき（その場合、例えば、両者は共通の回路基板、シャーシ、電源、及び／又はハウジングを共有する）、或いは、制御回路２０２に対して部分的に又は全体的に遠隔であることができる（その場合、例えば、メモリは、制御回路２０２と対照して、他の施設内に、大都市圏内に、又は国内にさえ物理的に配置される）。
【００３２】
前述の情報に加えて、このメモリは、例えば、制御回路２０２によって実行されるときに、制御回路２０２を本明細書において記載するように挙動させる、コンピュータ指令を非一時的に格納するように働くことができる。（本明細書で使用するとき、この「非一時的に」(“non-transitorily”)への言及は、記憶媒体自体の揮発性(volatility)というよりもむしろ、格納されるコンテンツの非一時的状態(non-ephemeral  state)を指すものと理解され、（故に、格納されるコンテンツが単に信号又は波を構成するときを除外し）、故に、（例えば、読出し専用記憶装置（ＲＯＭ）のような）不揮発性メモリ及び（消去可能プログラマブル読出し専用記憶装置（ＥＰＲＯＭ）のような）揮発性メモリの両方を含む。）
【００３３】
次に、前述のラベル２０４は、自動化プロセスを介して又は人間の操作者によって、カートン２０７に取り付けられる。（他のアプローチに順応し得ることが理解されるであろう。例えば、ラベル２０４は、カートン２０７に既に取り付けられていてよく、制御回路２０２は、そのラベル２０４に光学コード２０５を印刷し、それらの状況毎にラベル２０４内でＮＦＣコンポーネント２０６を符号化することができる。）
【００３４】
この例において、カートン２０７は、次に、品目選出領域２０８に進み、品目選出領域２０８で、１人以上（１人又はそれよりも多く）の操作者が、この特定の注文に関係する品目を選出し、それらをカートン２０７内に配置する。（そのような１人以上の操作者の代わりにロボットピックアンドプレース機械を所望に利用し得ることが理解されるであろう。）また、この例では、各品目がカートン２０７内に配置されるときに、人間の操作者が、ライタを直接的に又は間接的に作動させることが想定される。このライタは、カートン２０７内に配置される各品目に関する情報をＮＦＣコンポーネントに書き込むことによって応答する。従って、ＮＦＣコンポーネント２０６は、これらに関して、カートン２０７に現在含まれている品目を詳細に示すリアルタイム積荷目録(manifest)又はログ(log)を含む。所望であれば、そのような事象が発生するときに、タイムスタンプが、カートン２０７の現在場所に関する各々のそのようなエントリ及び／又は情報に付随することができる。
【００３５】
カートン２０７が品目選出領域２０８を離れると、カートン２０７は第１の自動化コンベヤゲート２０９に達する。この例において、自動化コンベヤゲート２０９は、ＮＦＣコンポーネント２０６のコンテンツを読み取るリーダを有する。また、この例では、カートン２０７が適切に包装されているか否かを決定する評価、即ち、カートン２０７が収容すべき全ての品目を収容し、収容すべきでない如何なる品目をも収容しないことの評価が、この時点で行われる。（ＮＦＣコンポーネント２０６のコンテンツの分析に基づいて）これらに関してエラーが見出されるならば、システムは相応して応答することができる。１つのアプローチによって、自動化コンベヤゲート２０９は、エラーに対処し得る領域にカートン２０７を向け直すことができる。他のアプローチによって、自動化コンベヤゲート２０９は、人間の操作者の注意を引くアラートを提供することにより、カートン２０７の誤った状態に注意を向けるように構成されることができる。
【００３６】
カートン２０７が適切に包装されていると想定すると、この例において、カートン２０７は、他の自動化コンベヤゲート２１０に移動し、他の自動化コンベヤゲート２１０で、再び、リーダは、ＮＦＣコンポーネント２０６を読み取り、例えば、この特定のカートン２０７についての出荷仕向先を決定する。次に、自動化コンベヤゲート２１０は、その情報を使用して、このカートン２０７を、ＮＦＣコンポーネント２０６によって提供される出荷住所又は他の仕向先情報通りに適切な出荷領域(shipping  area)、ステージング領域(staging  area)、積込みドック２１１、又は同等の場所に導く、特定のコンベヤベルトに向けることができる。
【００３７】
所望であれば、（特定の積込みドック２１１のような）内部仕向先に到着した後、カートン２０７についてのＮＦＣコンポーネント２０１６を自動的に又は例えば手持ち式リーダを使用する人間の操作者によって再び読み取って、カートン２０７のコンテンツを再び確認することができ、且つ／或いは、カートン２０７が正しいパレット、トレーラ、又は車両等に積み込まれていること又は積み込まれたことを保証することができる。これらに関する変動(variances)を報告し、適切な措置を取って変動を解決することができる。
【００３８】
所望であるならば、カートンのコンテンツを注文と一致させるために、出荷仕向先２１２でリーダを利用することもできる。そのような情報は、変動が起こるときに、迅速に変動を識別し、治癒的行為を促す働きをすることができる。
【００３９】
従って、そのように構成されるならば、本明細書に記載するような双方向通信コンポーネントで展開されるカートンは、倉庫カートン包装及び経路制御(routing)プロセスの効率及び精度を大いに促進することができる。
【００４０】
当業者は、本発明の範囲から逸脱せずに上述の実施形態に関して多種多様な修正、変更、及び組み合わせを行い得ること、並びにそのような修正、変更、及び組み合わせが、本発明の着想の範囲内にあると見られるべきことを認識するであろう。
【図１】
2018531195.tif 000003
【図２】
2018531195.tif 000004
【国際調査報告】
2018531195.tif 000005